(57)【要約】  本発明は、メイク道具に関するものであり、芯状の化粧品を収容し、一方の側に出口が設けられ、少なくとも１つ以上の貫通口を有する外管部と、前記出口に隣設され、開閉可能な構造を有する蓋部と、前記外管部の他方の側に設けられ、前記貫通口を介して外部に露出されるストッパーを有するボタン部と、前記外管部の内部に位置し、前記ボタン部の付勢により前記出口側に移動可能なように設けられる付勢部と、前記ボタン部の付勢により前記蓋部を開く開閉部と、前記化粧品を押し出すピストン部と、一方の側に拡開する複数の脚部を有し、前記付勢部により前記出口側に移動すれば、前記脚部が拡開しながら前記ピストン部を前記出口側に押し出すプッシュ部と、を備えることを特徴とする。【選択図】  図1
2020533036.tif 000002
【特許請求の範囲】
【請求項１】
芯状の化粧品を収容し、一方の側に出口が設けられ、少なくとも１つ以上の貫通口を有する外管部と、
前記出口に隣設され、開閉可能な構造を有する蓋部と、
前記外管部の他方の側に設けられ、前記貫通口を介して外部に露出されるストッパーを有するボタン部と、
前記外管部の内部に位置し、前記ボタン部の付勢により前記出口側に移動可能なように設けられる付勢部と、
前記ボタン部の付勢により前記蓋部を開く開閉部と、
前記化粧品を押し出すピストン部と、
一方の側に拡開する複数の脚部を有し、前記付勢部により前記出口側に移動すれば、前記脚部が拡開しながら前記ピストン部を前記出口側に押し出すプッシュ部と、
を備えることを特徴とするメイク道具。
【請求項２】
前記外管部の内部における前記付勢部に比べて前記出口側に設けられる内管部と、
前記内管部と前記付勢部との間に設けられて、前記内管部を基準として前記付勢部を前記出口の反対側に押し出す第１の弾性部材と、
をさらに備えることを特徴とする請求項１に記載のメイク道具。
【請求項３】
前記内管部の内部に位置し、前記化粧品の移動経路を形成するシリンダー部をさらに備え、
前記ピストン部は、前記シリンダー部の内部において移動して前記化粧品を押し出し、
前記開閉部は、前記シリンダー部の外側に設けられて前記ボタン部の付勢により前記蓋部を開き、
前記シリンダー部と前記開閉部との間に設けられて、前記シリンダー部を基準として前記開閉部を前記蓋部側に押し出す第２の弾性部材をさらに備えることを特徴とする請求項２に記載のメイク道具。
【請求項４】
前記付勢部と前記シリンダー部との間に設けられて、前記付勢部を基準として前記シリンダー部を前記出口側に押し出す第３の弾性部材をさらに備えることを特徴とする請求項３に記載のメイク道具。
【請求項５】
前記プッシュ部の外周に設けられ、前記脚部の拡開を調節するリング部をさらに備え、
前記リング部は、前記シリンダー部の他方の側に係合して前記出口側への移動が制限され、
前記プッシュ部は、前記リング部を基準として前記出口側に移動すれば、前記脚部が拡開して前記ピストン部を前記出口側に押し出すことを特徴とする請求項３に記載のメイク道具。
【請求項６】
前記ボタン部は、
前記外管部の他方の側に突出するボタンと、
前記外管部の中心から外側に向かって撓む弾性力を有する弾性アームと、
前記弾性アームに設けられる少なくとも１つ以上の前記ストッパーと、
を備えることを特徴とする請求項３に記載のメイク道具。
【請求項７】
前記ストッパーは、前記出口側から遠ざかる方向に沿って設けられる第１のストッパー及び第２のストッパーを有し、
前記外管部は、前記出口側から遠ざかる方向に沿って設けられる第１の貫通口及び第２の貫通口を有し、
前記第１の貫通口は、前記第２の貫通口よりも相対的に長い長さを有することを特徴とする請求項６に記載のメイク道具。
【請求項８】
前記ボタン部が付勢される前の場合、前記第１のストッパーは前記第１の貫通口に位置し、前記第２のストッパーは前記第２の貫通口に位置し、
前記ボタン部が１次的に付勢される場合、前記第１のストッパーは前記第１の貫通口の一方の端に向かって移動し、前記第２のストッパーは前記弾性アームが撓みながら前記第２の貫通口から外れて前記外管部の内部に位置し、
前記ボタン部が２次的に付勢される場合、前記第１のストッパーは第１の貫通口の一方の端に向かって移動し、前記第２のストッパーは前記外管部の内部において前記出口側に移動した後、前記第１の貫通口の他方の端に位置し、
前記ボタン部が３次的に付勢される場合、前記第１のストッパーは前記第１の貫通口の一方の端に位置し、前記第２のストッパーは前記第１の貫通口の一方の端に向かって移動することを特徴とする請求項７に記載のメイク道具。
【請求項９】
前記ボタン部が１次的に付勢される場合、前記開閉部は前記出口側に移動して前記蓋部を開き、
前記ボタン部が２次的に付勢される場合、前記シリンダー部は前記出口側に移動して前記化粧品を前記出口に露出させ、
前記ボタン部が３次的に付勢される場合、前記プッシュ部は、前記脚部が拡開しながら前記ピストン部を前記出口側に押し出し、前記ピストン部は、前記化粧品を前記シリンダー部から前記出口側へと押し出すことを特徴とする請求項８に記載のメイク道具。
【発明の詳細な説明】
【技術分野】
【０００１】
本発明は、メイク道具に係り、ボタンの押圧の際の動作機構を改善したメイク道具（化粧道具）に関する。
【背景技術】
【０００２】
一般に、メイク道具の中には、ペンシル状を有する製品が多数存在する。例えば、眉毛の化粧のためのアイブロウ、目元の化粧のためのアイライナーなどの場合、芯状の個体化粧品を内蔵するペンシル状を有する。
【０００３】
この種のペンシル状のメイク道具は、使用者が把持することが便利であり、局所部位に対する化粧が容易であるというメリットが認められることから、広く用いられている。ところが、固体化粧品を内蔵するペンシルを用い続ける過程で、使用者は、固体化粧品を囲繞する周りを削り出し続けて化粧品の終端が外部に露出されるようにせねばならないという不便さがある。
【０００４】
したがって、最近には、ボタンを押圧したり回したりすれば、芯状の化粧品が所定の長さだけ自動的に引き出されるようにするシャープペンシル状のメイク道具が開発された。このようなメイク道具は、芯状の化粧品を囲繞する周りを削り出す必要がないので、使い勝手が大幅に良くなる。
【０００５】
但し、シャープペンシル状の製品において、固体化粧品の終端が常に外部に露出される場合、化粧品が汚れて肌にトラベルを引き起こす虞があるという問題が提起されたが、これを解決するために、化粧品の終端にカバーを有する製品が開発された。
【０００６】
但し、使用者がメイク道具を用いようとするとき、メイク道具の前端に嵌め込まれたカバーを自ら取り外すように設けられる場合に不便であり、しかも、煩雑であるという問題があるため、最近には、開閉が自動的に行われる方式のカバーを有するように改善がなされている。
【０００７】
このように、ボタンの押圧により化粧品が所定の長さだけ引き出されながらカバーが自動的に開閉される製品において、使用者の使い勝手を極大化させるために、動作構造を改善するための取り組み及び開発が行われ続けているのが現状である。
【発明の概要】
【発明が解決しようとする課題】
【０００８】
本発明は、前述したような従来の技術の問題を解決するために案出されたものであり、ボタンを押圧すれば、化粧品を覆うカバーが開かれながら化粧品が所定の長さだけ自動的に引き出されるようにし、ボタンの押圧による動作機構を改善して使用者の満足度を高めたメイク道具を提供するためのものである。
【課題を解決するための手段】
【０００９】
本発明の一局面によるメイク道具は、芯状の化粧品を収容し、一方の側に出口が設けられ、少なくとも１つ以上の貫通口を有する外管部と、前記出口に隣設され、開閉可能な構造を有する蓋部と、前記外管部の他方の側に設けられ、前記貫通口を介して外部に露出されるストッパーを有するボタン部と、前記外管部の内部に位置し、前記ボタン部の付勢により前記出口側に移動可能なように設けられる付勢部と、前記ボタン部の付勢により前記蓋部を開く開閉部と、前記化粧品を押し出すピストン部と、一方の側に拡開する複数の脚部を有し、前記付勢部により前記出口側に移動すれば、前記脚部が拡開しながら前記ピストン部を前記出口側に押し出すプッシュ部と、を備えることを特徴とする。
【００１０】
具体的に、前記外管部の内部における前記付勢部に比べて前記出口側に設けられる内管部と、前記内管部と前記付勢部との間に設けられて、前記内管部を基準として前記付勢部を前記出口の反対側に押し出す第１の弾性部材と、をさらに備えていてもよい。
【００１１】
具体的に、前記内管部の内部に位置し、前記化粧品の移動経路を形成するシリンダー部をさらに備え、前記ピストン部は、前記シリンダー部の内部において移動して前記化粧品を押し出し、前記開閉部は、前記シリンダー部の外側に設けられて前記ボタン部の付勢により前記蓋部を開き、前記シリンダー部と前記開閉部との間に設けられて、前記シリンダー部を基準として前記開閉部を前記蓋部側に押し出す第２の弾性部材をさらに備えていてもよい。
【００１２】
具体的に、前記付勢部と前記シリンダー部との間に設けられて、前記付勢部を基準として前記シリンダー部を前記出口側に押し出す第３の弾性部材をさらに備えていてもよい。
【００１３】
具体的に、前記プッシュ部の外周に設けられ、前記脚部の拡開を調節するリング部をさらに備え、前記リング部は、前記シリンダー部の他方の側に係合して前記出口側への移動が制限され、前記プッシュ部は、前記リング部を基準として前記出口側に移動すれば、前記脚部が拡開して前記ピストン部を前記出口側に押し出してもよい。
【００１４】
具体的に、前記ボタン部は、前記外管部の他方の側に突出するボタンと、前記外管部の中心から外側に向かって撓む弾性力を有する弾性アームと、前記弾性アームに設けられる少なくとも１つ以上の前記ストッパーと、を備えていてもよい。
【００１５】
具体的に、前記ストッパーは、前記出口側から遠ざかる方向に沿って設けられる第１のストッパー及び第２のストッパーを有し、前記外管部は、前記出口側から遠ざかる方向に沿って設けられる第１の貫通口及び第２の貫通口を有し、前記第１の貫通口は、前記第２の貫通口よりも相対的に長い長さを有してもよい。
【００１６】
具体的に、前記ボタン部が付勢される前の場合、前記第１のストッパーは前記第１の貫通口に位置し、前記第２のストッパーは前記第２の貫通口に位置し、前記ボタン部が１次的に付勢される場合、前記第１のストッパーは前記第１の貫通口の一方の端に向かって移動し、前記第２のストッパーは前記弾性アームが撓みながら前記第２の貫通口から外れて前記外管部の内部に位置し、前記ボタン部が２次的に付勢される場合、前記第１のストッパーは第１の貫通口の一方の端に向かって移動し、前記第２のストッパーは前記外管部の内部において前記出口側に移動した後、前記第１の貫通口の他方の端に位置し、前記ボタン部が３次的に付勢される場合、前記第１のストッパーは前記第１の貫通口の一方の端に位置し、前記第２のストッパーは前記第１の貫通口の一方の端に向かって移動してもよい。
【００１７】
具体的に、前記ボタン部が１次的に付勢される場合、前記開閉部は前記出口側に移動して前記蓋部を開き、前記ボタン部が２次的に付勢される場合、前記シリンダー部は前記出口側に移動して前記化粧品を前記出口に露出させ、前記ボタン部が３次的に付勢される場合、前記プッシュ部は、前記脚部が拡開しながら前記ピストン部を前記出口側に押し出し、前記ピストン部は、前記化粧品を前記シリンダー部から前記出口側へと押し出してもよい。
【発明の効果】
【００１８】
本発明に係るメイク道具は、ボタンの押圧によりカバーの開きと化粧品の引出しが行われるようにするが、ボタンの押圧からボタンの元の位置への戻しまでの動作機構を使用者の使い勝手を良くするように改善して、メイクがさらに手軽に行われるようにすることができる。
【図面の簡単な説明】
【００１９】
【図１】本発明の一実施の形態に係るメイク道具の側面図である。
【図２】本発明の一実施の形態に係るメイク道具の側面図である。
【図３】本発明の一実施の形態に係るメイク道具の側面図である。
【図４】本発明の一実施の形態に係るメイク道具の分解斜視図である。
【図５】図１の側断面図である。
【図６】図２の側断面図である。
【図７】図３の側断面図である。
【図８】図３の側断面図である。
【発明を実施するための形態】
【００２０】
本発明の目的、特定のメリット及び新規な特徴は、添付図面と結び付けてられる以下の詳細な説明と好適な実施の形態からなお一層明らかになる筈である。本明細書において、各図面の構成要素に参照符号を付するにあたって、同じ構成要素に限っては、たとえ異なる図面の上に示されているとしても、できる限り同じ番号を持たせていることに留意すべきである。なお、本発明について説明するにあたって、関連する公知の技術についての具体的な説明が本発明の要旨を余計に曖昧にする虞があると認められる場合にはその詳細な説明を省略する。
【００２１】
以下、添付図面に基づいて、本発明の好適な実施の形態について詳しく説明する。ただし、以下、本明細書において、説明のしやすさのために、一方の側、一方の端とは、出口に近い側を意味し、他方の側、他方の端とは、出口から遠い側を意味してもよいが、このような言い回しが権利範囲を直接的に限定するものではないことに留意すべきである。
【００２２】
図１から図３は、本発明の一実施の形態に係るメイク道具の側面図であり、図４は、本発明の一実施の形態に係るメイク道具の分解斜視図であり、図５は、図１の側断面図であり、図６は、図２の側断面図であり、図７及び図８は、図３の側断面図である。
【００２３】
参考までに、図１及び図５は、ボタン２１を付勢していない状態であり、図２及び図６は、ボタン２１を１次的に付勢した状態であり、図３及び図７、並びに図８は、ボタン２１を２次的に付勢した状態を示す。
【００２４】
図１から図８を参照すると、本発明の一実施の形態に係るメイク道具１は、外管部１０と、ボタン部２０と、蓋部３０と、付勢部４０と、内管部５０と、開閉部６０と、シリンダー部７０と、ピストン部８０と、プッシュ部９０と、を備える。
【００２５】
外管部１０は、芯状の化粧品Ｐを収容し、一方の側に出口１２１が設けられる。芯状の化粧品Ｐは、固体化粧品Ｐを固形化させたものであってもよいが、剤形や成分などは特に限定されない。なお、本実施の形態において説明する化粧品Ｐは、その用途と機能などを特に限定しないことに留意されたい。
【００２６】
外管部１０は、管状を呈してもよく、把持部１１と出口部１２を備えていてもよい。把持部１１は、使用者が手で把持する部分であって、所定の長さの管状を呈し、一方の側と他方の側が開かれた中空状を呈してもよい。
【００２７】
把持部１１には、後述するボタン部２０のストッパー２３が露出されるようにする貫通口１３が形成されてもよく、貫通口１３は、出口１２１側から遠ざかる方向に沿って設けられる第１の貫通口１３ａ及び第２の貫通口１３ｂを備えていてもよい。このとき、第１の貫通口１３ａは、第２の貫通口１３ｂよりも相対的に長い長さを有する。
【００２８】
出口部１２は、把持部１１の一方の側に設けられ、出口１２１を有する。把持部１１と出口部１２とは、螺合などにより互いに着脱されるように設けられてもよく、出口部１２と把持部１１との連結地点は特に限定されなくてもよい。
【００２９】
但し、外管部１０は、一方の側に出口１２１を形成するために、一方の側に向かって進むにつれて直径が次第に縮小する形状を呈してもよく、把持部１１と出口部１２との連結地点は、直径が縮小する開始点よりも他方の側の方に位置してもよい。この場合、把持部１１は、直径が一定の管状を呈してもよい。
【００３０】
ボタン部２０は、外管部１０の他方の側に設けられる。ボタン部２０は、外管部１０における開かれた他方の側に設けられてもよく、外管部１０の外側に突出する形状を呈してもよい。後述するが、ボタン部２０の付勢により化粧品Ｐは露出及び引き出されてもよい。
【００３１】
ボタン部２０は、ボタン２１と、弾性アーム２２と、ストッパー２３と、を備える。ボタン２１は、外管部１０の他方の側に突出してもよく、突出した長さは、ボタン部２０が付勢されるとき、後述するプッシュ部９０によりピストン部８０が化粧品Ｐを押上げできるほどの長さに設けられてもよい。
【００３２】
弾性アーム２２は、ボタン部２０の一方の側から他方の側に向かって延びた形状に設けられ、外管部１０の中心から外側に向かって撓む弾性力を有する。弾性アーム２２は、一方の側が固定され、他方の側が自由端として置かれ、ボタン２１が押圧されてボタン部２０が一方の側に移動するとき、外管部１０により干渉されて撓まれるように設けられる。
【００３３】
ストッパー２３は、弾性アーム２２に設けられる。ストッパー２３は、出口１２１側から遠ざかる方向に沿って設けられる第１のストッパー２３ａと第２のストッパー２３ｂとを備え、第１のストッパー２３ａ及び第２のストッパー２３ｂは、それぞれ対応する貫通口１３により露出されるように設けられてもよい。例えば、第１のストッパー２３ａは第１の貫通口１３ａに位置し、第２のストッパー２３ｂは第２の貫通口１３ｂに位置してもよい。ただし、この場合には、ボタン部２０が付勢されていない状態である場合であり、ボタン部２０が付勢されることに伴い、ストッパー２３の位置は変更されてもよい。
【００３４】
蓋部３０は、出口１２１に隣設され、開閉可能な構造を有する。蓋部３０は、例えば、十字状に拡開する切り込み線を有する板膜状であってもよいが、蓋部３０の形状は特に限定されない。
【００３５】
蓋部３０に設けられる板膜は、開閉部６０により互いに拡開しながら蓋部３０の開きが行われてもよい。逆に、開閉部６０が蓋部３０から遠ざかると、蓋部３０は、弾性力などを用いて再び密閉された状態に戻ることができる。
【００３６】
蓋部３０は、外管部１０の内側に設けられてもよく、このため、たとえ出口１２１を介して外管部１０の内部に異物が流入したとしても、化粧品Ｐは蓋部３０により衛生的に保護可能である。
【００３７】
付勢部４０は、外管部１０の内部に位置し、ボタン部２０の付勢により出口１２１側に移動自在に設けられる。付勢部４０は、中空の管状を呈し、他方の側がボタン部２０により付勢されてもよく、ボタン部２０により付勢部４０が付勢されれば、付勢部４０は、プッシュ部９０を一方の側に押し出すことができる。
【００３８】
また、付勢部４０がボタン部２０により出口１２１側に移動すれば、付勢部４０と内管部５０との間に設けられる第１の弾性部材５１が縮まってもよい。このために、付勢部４０の他方の側は外側に段付部４１が形成されていてもよく、段付部４１には第１の弾性部材５１が載置されてもよい。
【００３９】
さらに、付勢部４０がボタン部２０により移動するとき、付勢部４０に設けられる第３の弾性部材７４によりシリンダー部７０が出口１２１側に移動してもよい。このために、付勢部４０は、内側にプッシュ部９０を取り囲み、一方の側に第３の弾性部材７４が当接する環縁４２が設けられてもよく、環縁４２は、付勢部４０の一方の側と他方の側との間に配置されてもよい。
【００４０】
シリンダー部７０が出口１２１側に移動するとき、開閉部６０がシリンダー部７０によりシリンダー部７０との間に設けられる第２の弾性部材７３により出口１２１側に移動しながら蓋部３０が開かれてもよく、このため、シリンダー部７０内に設けられる化粧品Ｐは、出口１２１を介して外部に露出可能である。このような一連の動作機構は、以下において詳しく述べる。
【００４１】
内管部５０は、外管部１０の内部に設けられ、付勢部４０に比べて出口１２１側に設けられる。内管部５０は、付勢部４０がボタン部２０により出口１２１側に移動した後、ボタン部２０の付勢が解放されるとき、付勢部４０を元の位置に戻す機能を行うために設けられる。
【００４２】
このために、内管部５０と付勢部４０との間には、内管部５０を基準として付勢部４０を出口１２１の反対側に押し出す第１の弾性部材５１が設けられてもよい。このとき、内管部５０は、他方の側が付勢部４０の段付部４１に設けられる第１の弾性部材５１の一方の側を固定するために設けられる構成要素であってもよい。
【００４３】
内管部５０は、中空の管状であってもよく、内管部５０の一方の側は、出口部１２の他方の側に係合して出口１２１側への移動が制限されてもよい。すなわち、内管部５０は、外管部１０の内部において位置が拘束された状態であってもよい。
【００４４】
あるいは、内管部５０は、外管部１０の内部における移動が不要である構成要素であってもよいため、外管部１０と一体に設けられてもよい。この場合、外管部１０の内壁に段付部（図示せず）が形成されてもよく、外管部１０の段付部と付勢部４０の段付部４１との間に設けられる第１の弾性部材５１が付勢部４０の移動により縮まっていて、付勢部４０を他方の側に押し出してもよい。
【００４５】
開閉部６０は、ボタン部２０の付勢により蓋部３０を開く。開閉部６０は、ボタン部２０が付勢されるとき、出口１２１側に移動しながら、蓋部３０を構成する板膜を押し出して板膜が互いに拡開するようにしながら蓋部３０を開いてもよい。
【００４６】
開閉部６０は、シリンダー部７０の外側に設けられて、ボタン部２０の付勢により蓋部３０を開いてもよい。このとき、開閉部６０は、シリンダー部７０が出口１２１側に移動するとき、シリンダー部７０との間に設けられる第２の弾性部材７３により弾性力を受けて出口１２１側に移動してもよい。
【００４７】
開閉部６０の他方の側の内壁には突起６１が設けられ、突起６１は、シリンダー部７０の係止爪７１１により引っかかって、たとえ開閉部６０が第２の弾性部材７３により弾性力を受けたとしても、出口１２１側への移動範囲が制限可能である。
【００４８】
但し、ボタン部２０の付勢によりシリンダー部７０が出口１２１側に移動する場合、開閉部６０は、蓋部３０を開いた後、蓋部３０により移動が制限されながら、開閉部６０の突起６１がシリンダー部７０の係止爪７１１から他方の側へと離間し、これと同時に第２の弾性部材７３を縮めることになる。
【００４９】
シリンダー部７０は、内管部５０の内部に位置し、化粧品Ｐの移動経路を形成する。シリンダー部７０の内部には芯状の化粧品Ｐが収容されてもよく、ボタン部２０の１次付勢によりシリンダー部７０が出口１２１側に移動する場合、化粧品Ｐはシリンダー部７０内において移動しなかった状態でシリンダー部７０と一体に移動することになり、次いで、ボタン部２０がさらに付勢されてピストン部８０がシリンダー部７０内において移動することになれば、化粧品Ｐがシリンダー部７０から一方の側に向かって移動することが可能になる。
【００５０】
シリンダー部７０は、化粧品Ｐを収容する一方の側のシリンダー部７１と、一方の側のシリンダー部７１の他方の側に設けられる他方の側のシリンダー部７２と、を備えていてもよく、一方の側のシリンダー部７１と他方の側のシリンダー部７２は螺合などにより一体化されてもよい。
【００５１】
一方の側のシリンダー部７１には、上述した係止爪７１１が設けられてもよく、係止爪７１１は、開閉部６０の突起６１よりも出口１２１に近い位置に設けられて、開閉部６０が出口１２１側に移動することを制限してもよい。
【００５２】
一方の側のシリンダー部７１における開閉部６０の他方の側には段付部７１２が設けられ、段付部７１２には第２の弾性部材７３の他方の側が当接してもよい。したがって、第２の弾性部材７３は、シリンダー部７０と開閉部６０との間に設けられて、シリンダー部７０を基準として開閉部６０を蓋部３０側に押し出して開閉部６０が蓋部３０を開くようにしてもよい。
【００５３】
具体的に、第２の弾性部材７３は、一方の側が開閉部６０に当接し、他方の側が一方の側のシリンダー部７１の段付部７１２に当接し、シリンダー部７０の移動の際に、開閉部６０は、第２の弾性部材７３をやや縮めながらも、第２の弾性部材７３の弾性力によりシリンダー部７０とともに出口１２１側に移動することが可能になる。
【００５４】
一方の側のシリンダー部７１における段付部７１２が設けられる部分の近くにはピストン部８０の嵌入のための孔７１３が形成され、孔７１３を介してピストン部８０は一方の側のシリンダー部７１を基準として移動自在に設けられてもよい。
【００５５】
一方の側のシリンダー部７１の他方の側の内壁にはリング部９２が載置されてもよいが、一方の側のシリンダー部７１の他方の側の内壁は階段状の断面を有してもよい。一方の側のシリンダー部７１の他方の側の内部における相対的に直径の大きな部分にはリング部９２が当接してもよく、他方の側の内部における相対的に直径の小さな部分にはプッシュ部９０の移動経路が形成されてもよい。
【００５６】
すなわち、一方の側のシリンダー部７１の内壁構造を介して、プッシュ部９０は、リング部９２を基準として出口１２１側に移動自在に設けられ、プッシュ部９０の移動によりピストン部８０がシリンダー部７０内において移動自在となる。
【００５７】
一方の側のシリンダー部７１は、一方の端が出口１２１よりも小さいかあるいはそれに等しい直径を有し、一方の端から他方の側に向かっての一個所において出口１２１よりも大きな直径を有してもよい。したがって、シリンダー部７０がボタン部２０により付勢されて出口１２１側に移動することになれば、一方の側のシリンダー部７１は化粧品Ｐを収容した状態で一方の端が出口１２１を貫通して化粧品Ｐが十分に外部に露出されるようにするが、一個所が出口１２１により引っかかってそれ以上の移動が制限可能である。
【００５８】
他方の側のシリンダー部７２は、一方の側のシリンダー部７１と着脱自在に設けられてもよく、付勢部４０との間において第３の弾性部材７４を備えていてもよい。第３の弾性部材７４は、付勢部４０とシリンダー部７０との間に設けられて、付勢部４０を基準としてシリンダー部７０を出口１２１側に押し出すことができる。すなわち、シリンダー部７０は、付勢部４０により直接的に付勢される代わりに、第３の弾性部材７４により移動が実現されてもよい。
【００５９】
但し、第３の弾性部材７４は、シリンダー部７０が化粧品Ｐを出口１２１に露出させた後、ボタン部２０がさらに付勢されるとき、付勢部４０がプッシュ部９０を押し出してプッシュ部９０がピストン部８０を押し出す過程で縮まってもよく、これについては後述する。
【００６０】
ピストン部８０は、化粧品Ｐを押し出す。ピストン部８０は、シリンダー部７０の内部において移動して化粧品Ｐを押し出すことができ、シリンダー部７０内において出口１２１に向かう一方の側に向かって移動したピストン部８０は、他方の側に向かって戻らない虞がある。このために、ピストン部８０にはＯリング８１が設けられてもよく、Ｏリング８１は、シリンダー部７０の内壁に密着されてピストン部８０の余計な移動を制限することができる。
【００６１】
ピストン部８０は、一方の側のシリンダー部７１の孔７１３を貫通して設けられる、横たわったＴ字状を呈してもよく、ピストン部８０の他方の側は、付勢部４０により付勢されてもよい。したがって、ボタン部２０が付勢部４０を押し出すと、付勢部４０がピストン部８０を出口１２１側に押し出すことができる。
【００６２】
但し、ボタン部２０が１次的に付勢されるとき、たとえ付勢部４０がピストン部８０を押し出したとしても、シリンダー部７０もまた出口１２１側に移動することになるため、シリンダー部７０内においてピストン部８０の位置は変動しないことがある。
【００６３】
これに対し、ボタン部２０がさらに付勢されながら、プッシュ部９０がリング部９２を基準として一方の側に移動することになれば、プッシュ部９０の脚部９１が拡開しながらピストン部８０を自然に一方の側に押し出すことになる。この場合、ピストン部８０は、シリンダー部７０内において次第に一方の側に移動しながら化粧品Ｐを引き出すことができる。
【００６４】
プッシュ部９０は、一方の側に拡開する複数の脚を有し、付勢部４０により出口１２１側に移動すれば、脚部９１が拡開しながらピストン部８０を出口１２１側に押し出す。ただし、プッシュ部９０の周りには脚部９１の拡開を調節するリング部９２が設けられ、リング部９２は、階段状の断面を有し、一方の側のシリンダー部７１の他方の側の内壁に係合して出口１２１側への移動が制限される。
【００６５】
ボタン部２０が付勢されていないとき、リング部９２は、プッシュ部９０の脚部９１が拡開しないようにする状態に置かれていてもよい。ここで、たとえボタン部２０が１次的に付勢されたとしても、シリンダー部７０が出口１２１側に移動することになって、リング部９２とプッシュ部９０は一緒に出口１２１側に移動し、したがって、脚部９１は、リング部９２により拡開しない状態を保持することができる。
【００６６】
ところが、化粧品Ｐの引き出し後にボタン部２０がさらに付勢されれば、シリンダー部７０は、上述したように、出口１２１により引っかかりながらそれ以上の移動が行われないため、付勢部４０によりプッシュ部９０は移動するが、リング部９２は移動できなくなる。したがって、プッシュ部９０は、リング部９２を基準として出口１２１側に移動することになって、脚部９１がリング部９２から係脱しながら拡開することが可能になる。いうまでもなく、このために、脚部９１は拡開しようとする弾性力を有してもよい。
【００６７】
プッシュ部９０が一方の側に移動しながら脚部９１が拡開すれば、脚部９１により把持されていたピストン部８０は自然に一方の側に押し出され得る。したがって、プッシュ部９０によりピストン部８０が化粧品Ｐを押し出すことになるので、化粧品Ｐの引出しが行われる。
【００６８】
以下では、図５から図８に基づいて、本実施の形態の動作機構について詳しく説明する。
【００６９】
図５に示すように、ボタン部２０が付勢される前の場合、第１のストッパー２３ａは第１の貫通口１３ａに位置し、第２のストッパー２３ｂは第２の貫通口１３ｂに位置する。なお、この場合、板膜などの形状を呈し得る開閉部６０は、化粧品Ｐを外部から隔離するように閉形状を呈してもよい。
【００７０】
次いで、図６に示すように、ボタン部２０が１次的に付勢される場合、第１のストッパー２３ａは第１の貫通口１３ａの一方の端に向かって移動し、第２のストッパー２３ｂは、弾性アーム２２が撓みながら第２の貫通口１３ｂから外れて外管部１０の内部に位置することになる。
【００７１】
このとき、ボタン部２０により付勢部４０が一方の側に移動し、付勢部４０の移動の際に第１の弾性部材５１が縮まり、第３の弾性部材７４によりシリンダー部７０が一方の側に移動し、シリンダー部７０に当接する第２の弾性部材７３により開閉部６０が出口１２１側に移動して蓋部３０を開くことになる。
【００７２】
この場合、リング部９２がプッシュ部９０の脚部９１を拡開しない状態に保持しながら、プッシュ部９０とともに付勢部４０により一方の側に移動することになるので、プッシュ部９０によるピストン部８０の移動は行われない。したがって、シリンダー部７０内において化粧品Ｐは移動していない状態を保持する。
【００７３】
次いで、図７に示すように、ボタン部２０が２次的に付勢される場合、第１のストッパー２３ａは第１の貫通口１３ａの一方の端に向かってさらに移動し、第２のストッパー２３ｂは、外管部１０の内部において出口１２１側に移動した後、第１の貫通口１３ａの他方の端に引っかかることになる。
【００７４】
このとき、ボタン部２０の２次付勢により第１の弾性部材５１はさらに縮まり、シリンダー部７０は依然として第３の弾性部材７４により出口１２１側に移動することになり、これに伴い、シリンダー部７０の一方の側が出口１２１を貫通して化粧品Ｐを出口１２１に露出させることになる。ただし、開閉部６０は、開かれた蓋部３０に引っかかって移動がやや制限されるので、開閉部６０とシリンダー部７０との間の第２の弾性部材７３は縮まり得る。
【００７５】
次いで、図８に示すように、第２の弾性部材７３が弾性力を開閉部６０に加えることにより、開閉部６０は、蓋部３０を開く方向に移動することになって、蓋部３０が最大限に開かれた状態となる。
【００７６】
次いで、図示はしなかったが、ボタン部２０が３次的に付勢される場合、第１のストッパー２３ａは第１の貫通口１３ａの一方の端に位置し、第２のストッパー２３ｂは第１の貫通口１３ａの一方の端に向かって移動することになる。
【００７７】
このとき、シリンダー部７０は、一方の端が出口１２１に引っかかって移動が制限されるので、たとえボタン部２０により付勢部４０が移動したとしても、シリンダー部７０の移動は行われず、その代わりに、第３の弾性部材７４が縮まり得る。
【００７８】
但し、付勢部４０の移動によりプッシュ部９０は一方の側に移動することになるが、シリンダー部７０の移動が制限されるため、リング部９２の移動もまた制限される。したがって、プッシュ部９０は、リング部９２を基準として一方の側に移動することになり、これに伴い、プッシュ部９０の脚部９１が拡開することが可能になる。
【００７９】
この場合、プッシュ部９０は、移動及び脚部９１の拡開動作を用いて、脚部９１が把持していたピストン部８０を出口１２１側に押し出すことができ、ピストン部８０は、化粧品Ｐをシリンダー部７０から出口１２１側へと押し出すことができる。
【００８０】
使用者がボタン部２０の３次付勢を解放すれば、第２のストッパー２３ｂが第１の貫通口１３ａの他方の端に引っかかる図８の状態に戻る。この状態で、使用者がボタン部２０を付勢し直すと、上述したように、プッシュ部９０によりピストン部８０が押されながら化粧品Ｐの引き出しが再び行われ得る。
【００８１】
したがって、ボタン部２０の３次付勢は数回にわたって繰り返し行われることができ、少なくとも１回以上行われ得るボタン部２０の３次付勢により、化粧品Ｐは使用者にとって必要とされる適正な長さに引き出され得る。
【００８２】
使用者が化粧品Ｐの使用を中断しようとする場合、使用者は、第１のストッパー２３ａを外管部１０の内側に向かって押圧して、第１のストッパー２３ａが第１の貫通口１３ａから外れるようにしてもよい。この場合、第１の弾性部材５１により他方の側に向かって弾性力を受ける付勢部４０により、ボタン部２０は、図５に示す状態に戻ることができる。
【００８３】
また、付勢部４０と結合可能なプッシュ部９０が付勢部４０とともに他方の側に移動することになり、これに伴い、リング部９２がプッシュ部９０に引っかかって他方の側に移動し、一方の端がリング部９２に引っかかっている他方の側のシリンダー部７２が一方の側のシリンダー部７１とともに他方の側に移動することになる。このとき、一方の側のシリンダー部７１に設けられる係止爪７１１が開閉部６０の突起６１と係合しながら、開閉部６０を他方の側に移動させる。したがって、開閉部６０の移動及び蓋部３０の戻り力により蓋部３０は閉状態に戻ることができる。
【００８４】
但し、ボタン部２０の３次付勢に際して、化粧品Ｐは持続的に引出し可能であるので、化粧品Ｐを引き出し過ぎた状態で第１のストッパー２３ａを押圧すれば、長く引き出された化粧品Ｐが引っかかり、これに伴い、蓋部３０が閉じられない虞もあるが、これを防ぐために、お知らせの文句などが外管部１０に表記されていてもよい。
【００８５】
このような本実施の形態においては、ボタン部２０の１次から３次までの付勢を用いて化粧品Ｐの露出及び引出が行われるようにする動作機構を実現して、使用者が片手でも手軽に化粧品Ｐを引き出せるようにして使い勝手を極大化させ、かつ、満足度を向上させることができる。
【００８６】
以上、本発明を具体的な実施の形態を挙げて詳しく説明したが、これは、本発明を詳しく説明するためのものに過ぎず、本発明は、これに何ら限定されるものではなく、本発明の技術的な思想内において当該分野の通常の知識を有する者によりその変形や改良が可能であるということは自明であるといえる。
【００８７】
本発明の単なる変形ないし変更は、いずれも本発明の領域に属するものであって、本発明の具体的な保護範囲は、添付の特許請求の範囲により明らかになるはずである。
【図１】
2020533036.tif 000003
【図２】
2020533036.tif 000004
【図３】
2020533036.tif 000005
【図４】
2020533036.tif 000006
【図５】
2020533036.tif 000007
【図６】
2020533036.tif 000008
【図７】
2020533036.tif 000009
【図８】
2020533036.tif 000010
【国際調査報告】
2020533036.tif 000011
2020533036.tif 000012
2020533036.tif 000013
2020533036.tif 000014